(57)【要約】【課題】建物の構築コストが安くなり、しかも、不同沈下も生じ難い建物の不同沈下防止方法を提供する。【解決手段】建物構築範囲の略全域の地盤Ｂを地表面ＧＬ以下に掘削して略一定深さＤの掘削坑５を形成し、床コンクリート１と床コンクリートよりも下方に突出する直接基礎２とを備えた建物下部３を、床コンクリートの下面４と掘削坑の底面６との間を掘削土で埋め戻さずに、掘削坑内に設ける建物の不同沈下防止方法であって、掘削坑の掘削土よりも嵩比重が小さい軽量資材７を底面側に敷設して、床コンクリートの下面を、軽量資材を介して、掘削坑の底面で支持可能に、建物下部を埋設し、建物下部の埋設深さＥが、建物埋設部分の容積と軽量資材の容積との合計容積に相当する掘削土の総重量と建物重量とが略釣り合う深さになるように、掘削土Ｃを建物Ａの外周部に盛土する。【選択図】図４
2007154603.tif 000002
【特許請求の範囲】
【請求項１】
建物構築範囲の略全域の地盤を地表面以下に掘削して略一定深さの掘削坑を形成し、
床コンクリートと前記床コンクリートよりも下方に突出する直接基礎とを備えた建物下部を、前記床コンクリートの下面と前記掘削坑の底面との間を掘削土で埋め戻さずに、前記掘削坑の内部に設ける建物の不同沈下防止方法であって、
前記掘削坑の掘削に伴って発生した掘削土よりも嵩比重が小さい軽量資材を前記底面側に敷設して、前記床コンクリートの下面を、前記軽量資材を介して、前記掘削坑の底面で支持可能に、前記建物下部を埋設し、
前記建物下部の埋設深さが、建物埋設部分の容積と前記軽量資材の容積との合計容積に相当する掘削土の総重量と建物重量とが略釣り合う深さになるように、前記掘削土を建物の外周部に盛土する建物の不同沈下防止方法。
【発明の詳細な説明】
【技術分野】
【０００１】
本発明は、建物構築範囲の略全域の地盤を地表面以下に掘削して略一定深さの掘削坑を形成し、床コンクリートと前記床コンクリートよりも下方に突出する直接基礎とを備えた建物下部を、前記床コンクリートの下面と前記掘削坑の底面との間を掘削土で埋め戻さずに、前記掘削坑の内部に設ける建物の不同沈下防止方法に関する。
【背景技術】
【０００２】
図５に示すように、床コンクリート１と床コンクリート１の下面４よりも下方に突出する直接基礎２とを備えた建物下部３を、床コンクリート１の下面４と掘削坑５の底面６との間を掘削土で埋め戻さずに、掘削坑５の内部に埋設してある建物Ａは、掘削坑５の埋め戻し作業が不要になるものの、掘削土の略全量を掘削現場から搬出して処分する必要があるとともに、床コンクリート１の強度を梁８などで補強しておき、排土量と建物重量とをバランスさせるために建物周りに盛土する必要がある（周知慣用技術であり、先行技術文献情報を開示できない）。
【発明の開示】
【発明が解決しようとする課題】
【０００３】
このため、上記建物では、掘削土の処分に費用が掛かるとともに、床コンクリートを梁などで補強しておく必要があるので、建物重量が重くなるとともに、構築コストが高くなる欠点がある。
また、建物重量が直接基礎を介して地盤に作用するので、不同沈下を生じやすい欠点がある。
本発明は上記実情に鑑みてなされたものであって、建物の構築コストが安くなり、しかも、不同沈下も生じ難い建物の不同沈下防止方法を提供することを目的とする。
【課題を解決するための手段】
【０００４】
本発明の第１特徴構成は、建物構築範囲の略全域の地盤を地表面以下に掘削して略一定深さの掘削坑を形成し、床コンクリートと前記床コンクリートよりも下方に突出する直接基礎とを備えた建物下部を、前記床コンクリートの下面と前記掘削坑の底面との間を掘削土で埋め戻さずに、前記掘削坑の内部に設ける建物の不同沈下防止方法であって、前記掘削坑の掘削に伴って発生した掘削土よりも嵩比重が小さい軽量資材を前記底面側に敷設して、前記床コンクリートの下面を、前記軽量資材を介して、前記掘削坑の底面で支持可能に、前記建物下部を埋設し、前記建物下部の埋設深さが、建物埋設部分の容積と前記軽量資材の容積との合計容積に相当する掘削土の総重量と建物重量とが略釣り合う深さになるように、前記掘削土を建物の外周部に盛土する点にある。
【０００５】
〔作用及び効果〕
掘削坑の掘削に伴って発生した掘削土よりも嵩比重が小さい軽量資材を掘削坑の底面側に敷設して、床コンクリートの下面を、軽量資材を介して、掘削坑の底面で支持可能に、建物下部を埋設するので、床コンクリートの構造を、梁などを特に設けていない土間コンクリート程度の軽量で、しかも、安価な構造にすることができるとともに、地盤に作用する建物重量を軽減できる。
また、建物下部の埋設深さが、建物埋設部分の容積と軽量資材の容積との合計容積に相当する掘削土の総重量と建物重量とが略釣り合う深さになるように、掘削坑の掘削に伴って発生した掘削土を建物の外周部に盛土するので、掘削現場から搬出して処分する必要がある掘削土の量を減らして、掘削土の処分費用を軽減できるとともに、実際に出来上がった建物の重量と地盤側から建物に作用する圧力とが略釣り合うように掘削土を盛土して、建物の不同沈下を効果的に防止できる。
従って、建物の構築コストが安くなり、しかも、建物の不同沈下も生じ難い。
【発明を実施するための最良の形態】
【０００６】
以下に本発明の実施の形態を図面に基づいて説明する。尚、図面において従来例と同一の符号で表示した部分は、同一又は相当の部分を示している。
図１〜図４は、床コンクリート１と床コンクリート１の下面４よりも下方に突出する直接基礎２とを備えた建物下部３を、床コンクリート１の下面４と掘削坑５の底面６との間を掘削土で埋め戻さずに、掘削坑５の内部に設ける本発明による建物Ａの不同沈下防止方法を示し、以下、工程順に説明する。
【０００７】
図１に示すように、建物構築範囲の略全域の地盤Ｂを地表面ＧＬ以下に掘削して略一定深さの掘削坑５を形成する。
具体的には、地表面ＧＬから０．５ｍ程度の略一定深さＤで地盤Ｂを掘削（開削）し、単位体積当たりの掘削土重量を１８ｋＮ／ｍ3とすると、掘削坑５の底面６から地盤Ｂに作用していた単位面積当たりの掘削土重量は１８ｋＮ／ｍ3（単位体積当たりの掘削土重量）×０．５ｍ（掘削深さ）の計算式で９ｋＮ／ｍ2になる。
【０００８】
次に、図２に示すように、床コンクリート１の下面４に対向することになる掘削坑５の底面６側に、掘削坑５の掘削に伴って発生した掘削土よりも嵩比重が小さい軽量資材７、具体的には独立気泡の発泡スチロール樹脂製の板状やブロック状の軽量資材７を直に敷設しておく。
【０００９】
次に、図３に示すように、床コンクリート１と床コンクリート１の下面４よりも下方に突出する直接基礎２とを備えた建物下部３を、床コンクリート１の下面４を軽量資材７の上に載せて、床コンクリート１の下面４と掘削坑５の底面６との間を掘削土で埋め戻さずに、床コンクリート１の下面４を、軽量資材７を介して、掘削坑５の底面６で支持できるように、掘削坑５の内部に埋設する。
【００１０】
この図３に示す状態では、単位面積当たりの建物重量を１２ｋＮ／ｍ2とし、軽量資材７の重量を無視すれば、掘削坑５の底面６から地盤Ｂに作用している単位面積当たりの建物作用重量は、１２ｋＮ／ｍ2（単位面積当たりの建物重量）−９ｋＮ／ｍ2（単位面積当たりの掘削土重量）の計算式で３ｋＮ／ｍ2となり、掘削坑５を掘削する前との比較において、掘削坑５の底面６に作用する重量の増加量が３ｋＮ／ｍ2になる。
【００１１】
そこで、建物下部３の埋設深さＥが、建物埋設部分の容積と軽量資材７の容積との合計容積に相当する掘削土の総重量と建物重量とが略釣り合う深さになるように、図４に示すように、掘削土Ｃを建物Ａの外周部に盛土する。
【００１２】
つまり、掘削坑５の底面６から地盤Ｂに作用している単位面積当たり３ｋＮ／ｍ2の建物重量に相当する圧力が建物Ａに作用する盛土の高さＨは、３ｋＮ／ｍ2（単位面積当たりの建物作用重量）÷１８ｋＮ／ｍ3（単位体積当たりの掘削土重量）の計算式で約０．１７ｍになり、掘削土Ｃを約０．１７ｍの高さＨで地表面ＧＬ上に盛土する。
【００１３】
〔その他の実施形態〕
１．本発明による建物の不同沈下防止方法は、掘削坑の掘削に伴って発生した掘削土よりも嵩比重が小さい独立気泡の発泡硬質ウレタン樹脂製の板状やブロック状の軽量資材を掘削坑の底面側に敷設しても良い。
２．本発明による建物の不同沈下防止方法は、掘削坑の掘削に伴って発生した掘削土よりも嵩比重が小さい独立気泡の発泡スチロール樹脂製や発泡硬質ウレタン樹脂製の粒状の軽量資材を掘削坑の底面側に敷設しても良い。
３．本発明による建物の不同沈下防止方法は、独立気泡の発泡スチロール樹脂製や発泡硬質ウレタン樹脂製の粒状資材に砂利などを混合して構成してある、掘削坑の掘削に伴って発生した掘削土よりも嵩比重が小さい軽量資材を掘削坑の底面側に敷設しても良い。
４．本発明による建物の不同沈下防止方法は、軽量資材を、掘削土や砂利などを介して、掘削坑の底面側に間接的に敷設しても良い。
５．本発明による建物の不同沈下防止方法は、建物下部を掘削坑内に構築してから、軽量資材を掘削坑の底面側に敷設しても良い。
【図面の簡単な説明】
【００１４】
【図１】建物の不同沈下防止方法の説明図
【図２】建物の不同沈下防止方法の説明図
【図３】建物の不同沈下防止方法の説明図
【図４】建物の不同沈下防止方法の説明図
【図５】従来方法の説明図
【符号の説明】
【００１５】
１  床コンクリート
２  直接基礎
３  建物下部
４  下面
５  掘削坑
６  底面
７  軽量資材
Ａ  建物
Ｂ  地盤
Ｃ  掘削土
Ｄ  一定深さ
Ｅ  埋設深さ
ＧＬ  地表面
【図１】
2007154603.tif 000003
【図２】
2007154603.tif 000004
【図３】
2007154603.tif 000005
【図４】
2007154603.tif 000006
【図５】
2007154603.tif 000007